(57)【要約】【課題】静電型トランスデューサにおいて、静電型スピーカとして用いられた場合には、空間へ出力される複数の音を合わせた状態で聴者に聴かせ、静電型マイクロフォンとして用いられた場合には、空間から入力される複数の音を合わせた音声信号に変換すること。【解決手段】静電型スピーカ１は、振動体１０を挟んで対向する第１及び第２の電極対を備える。第１の電極対を構成する電極２０Ｕ−１，２０Ｌ−１は、基部２０Ｕ−Ａ，２０Ｌ−Ａと、基部２０Ｕ−Ａ，２０Ｌ−Ａから第２の電極対に向かって突出する複数の櫛歯部分を有し、第２の電極対を構成する電極２０Ｕ−２，２０Ｌ−２は基部２０Ｕ−Ｃ，０Ｌ−Ｃと、基部２０Ｕ−Ｃ，２０Ｌ−Ｃから第１の電極対に向かって突出する１以上の櫛歯部分とを有する。振動体１０から見て同じ側にある電極のうち、一方の電極が有する２つの櫛歯部分に挟まれる位置に、他方の電極の櫛歯部分が配置される。【選択図】図２
2012213150.tif 000002
【特許請求の範囲】
【請求項１】
導電性を有する振動体と、
前記振動体を挟んで対向する２つの電極によってそれぞれ構成される第１及び第２の電極対であって、異なるチャンネルの音声信号に応じた電圧が印加可能な第１及び第２の電極対と、
絶縁性を有し、前記振動体と各々の前記電極とを離間させて、当該振動体と当該電極との間に空気層を形成する離間部材とを備え、
前記振動体から見て同じ側にある電極群のうち、前記第１の電極対を構成する電極は、第１の電極部分と、当該第１の電極部分から前記第２の電極対を構成する電極に向かって突出する複数の第２の電極部分とを有し、前記第２の電極対を構成する電極は、第３の電極部分と、当該第３の電極部分から前記第１の電極対を構成する電極に向かって突出する１以上の第４の電極部分とを有し、
前記振動体から見て同じ側にある電極群のうち、２つの前記第２の電極部分によって挟まれる位置に、前記第４の電極部分が配置されていることを特徴とする静電型トランスデューサ。
【請求項２】
導電性を有する第１の振動体と、前記第１の振動体を挟んで対向する２つの電極によって構成され、第１のチャンネルの音声信号に応じた電圧が印加可能な第１の電極対と、絶縁性を有し、前記第１の電極対を構成する各々の前記電極と前記第１の振動体とを離間させて、当該電極と当該第１の振動体との間に空気層を形成する第１の離間部材とを備える第１の静電放音部と、
導電性を有する第２の振動体と、前記第２の振動体を挟んで対向する２つの電極によって構成され、第２のチャンネルの音声信号に応じた電圧が印加可能な第２の電極対と、絶縁性を有し、前記第２の電極対を構成する各々の前記電極と前記第２の振動体とを離間させて、当該電極と当該第２の振動体との間に空気層を形成する第２の離間部材とを備える第２の静電放音部と
を具備し、
前記第１の電極対を構成する電極は、第１の電極部分と、当該第１の電極部分から突出する複数の第２の電極部分とを有し、
前記第２の電極対を構成する電極は、第３の電極部分と、当該第３の電極部分から突出する１以上の第４の電極部分とを有し、
前記第２の電極部分が前記第２の電極対を構成する電極に向かって突出し、且つ、前記第４の電極部分が前記第１の電極対を構成する電極に向かって突出し、さらに、２つの前記第２の電極部分によって挟まれる位置に前記第４の電極部分が配置された状態となるようにして、前記第１の静電放音部及び前記第２の静電放音部が支持される
ことを特徴とする静電型トランスデューサ。
【請求項３】
前記第１の電極部分からの距離が大きくなるほど、前記第２の電極部分の幅が徐々に小さくなり、
前記第３の電極部分からの距離が大きくなるほど、前記第４の電極部分の幅が徐々に小さくなる
ことを特徴とする請求項１または２記載の静電型トランスデューサ。
【請求項４】
導電性を有する振動体と、
前記振動体を挟んで対向する２つの電極によってそれぞれ構成される第Ｎ及び第Ｎ＋１の電極対であって（Ｎは正の整数）、異なるチャンネルの音声信号に応じた電圧が印加可能な第Ｎ及び第Ｎ＋１の電極対と、
絶縁性を有し、前記振動体と各々の前記電極とを離間させて、当該振動体と当該電極との間に空気層を形成する離間部材とを備え、
前記振動体から見て同じ側にある電極群のうち、前記第Ｎの電極対を構成する電極は、第１の電極部分と、当該第１の電極部分から前記第Ｎ＋１の電極対を構成する電極に向かって突出する複数の第２の電極部分とを有し、前記第Ｎ＋１の電極対を構成する電極は、第３の電極部分と、当該第３の電極部分から前記第Ｎの電極対を構成する電極に向かって突出する１以上の第４の電極部分とを有し、
前記振動体から見て同じ側にある電極群のうち、２つの前記第２の電極部分によって挟まれる位置に、前記第４の電極部分が配置されており、
複数の前記電極対が一方向または面方向に連なっている
ことを特徴とする静電型トランスデューサ。
【発明の詳細な説明】
【技術分野】
【０００１】
本発明は、静電型トランスデューサに関する。
【背景技術】
【０００２】
特許文献１に開示された静電型スピーカシステムは、一対の静電型スピーカを備えており、向かって左側の静電型スピーカをステレオ信号の左チャンネルの中高域再生用とし、向かって右側の静電型スピーカを同じステレオ信号の右チャンネルの中高域再生用に分けることができる構成となっている。
【先行技術文献】
【特許文献】
【０００３】
【特許文献１】特開２００１−１４８８９３号公報
【発明の概要】
【発明が解決しようとする課題】
【０００４】
一般に、静電型スピーカは、指向性が強く、出力された音が空間内であまり拡がらないことが知られている。このため、特許文献１に開示された平面スピーカシステムを隣り合うように配置した場合であっても、一方の静電型スピーカから出力された音と、他方の静電型スピーカから出力された音とが、それぞれ分離した状態で聴者に聴こえる場合がある。また、静電型スピーカの構成を、静電型マイクロフォンの構成として用いることも可能である。この場合においても、一方の静電型マイクロフォンの振動板を振動させる音と、他方の静電型マイクロフォンの振動板を振動させる音とが、それぞれ分離した状態で聴者に聴こえる音を示す音声信号に変換されてしまう場合がある。
そこで、本発明は、静電型スピーカとして用いられた場合には、空間へ出力される複数の音を合わせた状態で聴者に聴かせ、静電型マイクロフォンとして用いられた場合には、空間から入力される複数の音を合わせた音声信号に変換する静電型トランスデューサを提供することを目的とする。
【課題を解決するための手段】
【０００５】
上述した課題を解決するため本発明は、導電性を有する振動体と、前記振動体を挟んで対向する２つの電極によってそれぞれ構成される第１及び第２の電極対であって、異なるチャンネルの音声信号に応じた電圧が印加可能な第１及び第２の電極対と、絶縁性を有し、前記振動体と各々の前記電極とを離間させて、当該振動体と当該電極との間に空気層を形成する離間部材とを備え、前記振動体から見て同じ側にある電極群のうち、前記第１の電極対を構成する電極は、第１の電極部分と、当該第１の電極部分から前記第２の電極対を構成する電極に向かって突出する複数の第２の電極部分とを有し、前記第２の電極対を構成する電極は、第３の電極部分と、当該第３の電極部分から前記第１の電極対を構成する電極に向かって突出する１以上の第４の電極部分とを有し、前記振動体から見て同じ側にある電極群のうち、２つの前記第２の電極部分によって挟まれる位置に、前記第４の電極部分が配置されていることを特徴とする静電型トランスデューサを提供する。
【０００６】
上述した課題を解決するため本発明は、導電性を有する第１の振動体と、前記第１の振動体を挟んで対向する２つの電極によって構成され、第１のチャンネルの音声信号に応じた電圧が印加可能な第１の電極対と、絶縁性を有し、前記第１の電極対を構成する各々の前記電極と前記第１の振動体とを離間させて、当該電極と当該第１の振動体との間に空気層を形成する第１の離間部材とを備える第１の静電放音部と、導電性を有する第２の振動体と、前記第２の振動体を挟んで対向する２つの電極によって構成され、第２のチャンネルの音声信号に応じた電圧が印加可能な第２の電極対と、絶縁性を有し、前記第２の電極対を構成する各々の前記電極と前記第２の振動体とを離間させて、当該電極と当該第２の振動体との間に空気層を形成する第２の離間部材とを備える第２の静電放音部とを具備し、前記第１の電極対を構成する電極は、第１の電極部分と、当該第１の電極部分から突出する複数の第２の電極部分とを有し、前記第２の電極対を構成する電極は、第３の電極部分と、当該第３の電極部分から突出する１以上の第４の電極部分とを有し、前記第２の電極部分が前記第２の電極対を構成する電極に向かって突出し、且つ、前記第４の電極部分が前記第１の電極対を構成する電極に向かって突出し、さらに、２つの前記第２の電極部分によって挟まれる位置に前記第４の電極部分が配置された状態となるようにして、前記第１の静電放音部及び前記第２の静電放音部が支持されることを特徴とする静電型トランスデューサを提供する。
【０００７】
本発明においては、前記第１の電極部分からの距離が大きくなるほど、前記第２の電極部分の幅が徐々に小さくなり、前記第３の電極部分からの距離が大きくなるほど、前記第４の電極部分の幅が徐々に小さくなるようにしてもよい。
【０００８】
上述した課題を解決するため本発明は、導電性を有する振動体と、前記振動体を挟んで対向する２つの電極によってそれぞれ構成される第Ｎ及び第Ｎ＋１の電極対であって（Ｎは正の整数）、異なるチャンネルの音声信号に応じた電圧が印加可能な第Ｎ及び第Ｎ＋１の電極対と、絶縁性を有し、前記振動体と各々の前記電極とを離間させて、当該振動体と当該電極との間に空気層を形成する離間部材とを備え、前記振動体から見て同じ側にある電極群のうち、前記第Ｎの電極対を構成する電極は、第１の電極部分と、当該第１の電極部分から前記第Ｎ＋１の電極対を構成する電極に向かって突出する複数の第２の電極部分とを有し、前記第Ｎ＋１の電極対を構成する電極は、第３の電極部分と、当該第３の電極部分から前記第Ｎの電極対を構成する電極に向かって突出する１以上の第４の電極部分とを有し、前記振動体から見て同じ側にある電極群のうち、２つの前記第２の電極部分によって挟まれる位置に、前記第４の電極部分が配置されており、複数の前記電極対が一方向または面方向に連なっていることを特徴とする静電型トランスデューサを提供する。
【発明の効果】
【０００９】
本発明によれば、静電型トランスデューサにおいて、静電型スピーカとして用いられた場合には、空間へ出力される複数の音を合わせた状態で聴者に聴かせ、静電型マイクロフォンとして用いられた場合には、空間から入力される複数の音を合わせた音声信号に変換することができる。
【図面の簡単な説明】
【００１０】
【図１】本発明の実施形態に係る静電型スピーカの外観を示した斜視図である。
【図２】同実施形態に係る静電型スピーカの分解斜視図である。
【図３】同実施形態に係る静電型スピーカの電気的構成を示した図である。
【図４】同実施形態に係る振動体の形状と、該振動体から発生した音圧を説明する図である。
【図５】同実施形態に係る静電型スピーカを広告媒体として用いた例を説明する図である。
【図６】本発明の変形例に係る振動体の形状と、該振動体から発生した音圧を説明する図である。
【図７】本発明の変形例に係る電極の形状を示す図である。
【図８】本発明の変形例に係る電極の形状を示す図である。
【図９】本発明の変形例に係る静電型スピーカの外観を示した斜視図である。
【図１０】本発明の変形例に係る静電型スピーカの外観を示した斜視図である。
【図１１】本発明の変形例に係る静電型スピーカの外観を示した斜視図である。
【図１２】本発明の変形例に係る静電型スピーカの外観を示した斜視図である。
【図１３】本発明の変形例に係る静電型マイクロフォンの電気的構成を示した図である。
【発明を実施するための形態】
【００１１】
［実施形態］
本実施形態においては、静電型トランスデューサを、音声信号を音に変換する静電型スピーカとして適用した例を説明する。
図１は、本発明の実施形態に係る静電型スピーカ１の外観を示した斜視図である。図において、Ｘ，Ｙ，Ｚは３軸の直交座標系の座標軸を意味している。互いに直交するＸ軸、Ｙ軸はいずれも静電型スピーカ１の放音面と平行であり、Ｚ軸が静電型スピーカ１の放音面に対して垂直である。静電型スピーカ１は、振動体１０、電極２０Ｕ−１，２０Ｕ―２、電極２０Ｌ−１，２０Ｌ−２、スペーサ３０Ｕ，３０Ｌを備えている。なお、スペーサ３０Ｕとスペーサ３０Ｌの構成及び作用、電極２０Ｕ−１と電極２０Ｌ−１の構成及び作用、及び電極２０Ｌ−２と電極２０Ｕ―２の構成及び作用は、夫々同じであるため、両者を区別する必要が特に無い場合は「Ｌ」および「Ｕ」の記載を省略する。また、静電型スピーカ１のサイズの一例を挙げると、Ｙ軸方向の長さは例えば数ｍ程度であり、Ｘ軸方向の長さは例えば数十ｃｍ程度であるが、図において静電型スピーカ１を構成する各部の寸法は、各部の形状を容易に理解できるように実際の寸法とは異ならせてある。静電型スピーカ１の厚み（Ｚ軸方向の長さ）は、実際には、図１に示したものよりも小さく、静電型スピーカ１は全体としてシート状の形状である。また、図４，６，７，８，１２において、「○」の中に「・」が記載されたものは図面の裏から表に向かう矢印を意味し、「○」の中に「×」が記載されたものは図面の表から裏に向かう矢印を意味するものとする。
【００１２】
（静電型スピーカ１の各部の構成）
まず、静電型スピーカ１を構成する各部について説明する。図２は、静電型スピーカ１の分解斜視図である。振動体１０は、例えば、ＰＥＴ（polyethylene terephthalate、ポリエチレンテレフタレート）またはＰＰ（polypropylene、ポリプロピレン）などの透明
フィルムの表面に、導電性を有する金属の導電膜が形成されたものである。振動体１０は、数μｍ程度の厚さで薄い膜状となっているため、外力を受けると自在に変形する。振動体１０は、Ｚ軸方向からみて矩形の形状となっている。
【００１３】
スペーサ３０は、絶縁性を有する材料で形成されており、Ｚ軸正方向からみて矩形となる枠部材である。このスペーサ３０は、振動体１０と電極とを離間させて、振動体１０と電極２０との間に空気層を形成するものであり、離間部材に相当する。スペーサ３０のＸ軸方向の長さと、振動体１０のＸ軸方向の長さは同じとなっている。同様に、スペーサ３０のＹ軸方向の長さと、振動体１０のＹ軸方向の長さは同じとなっている。また、スペーサ３０Ｕとスペーサ３０ＬのＺ軸方向の長さは、いずれも同じとなっている。
【００１４】
電極２０−１及び電極２０−２は、所謂パンチングメタルであって、導電性を有する金属板の表面から裏面に貫通する複数の貫通孔が所定間隔で複数設けられたものである。なお、図面においては、この貫通孔の図示を省略している。図１，２に示すように、電極２０−１及び電極２０−２は、Ｚ軸正方向からみて櫛歯状に形成されている。ここでいう櫛歯状とは、あたかも櫛のように、或る部材の１辺に或る間隔で複数の切り込みが入れられている状態をいう。具体的には、図２に示すように、電極２０Ｕ−１は、基部２０Ｕ−Ａと、基部２０Ｕ−Ａから電極２０Ｕ−２に向かって突出する櫛歯部分２０Ｕ−Ｂ１〜Ｂ３とを有し、電極２０Ｕ−２は、基部２０Ｕ−Ｃと、基部２０Ｕ−Ｃから電極２０Ｕ−１に向かって突出する櫛歯部分２０Ｕ−Ｄ１〜Ｄ３とを有している。また、電極２０Ｌ−１は、基部２０Ｌ−Ａと、基部２０Ｌ−Ａから電極２０Ｌ−２に向かって突出する櫛歯部分２０Ｌ−Ｂ１〜Ｂ３とを有し、電極２０Ｌ−２は、基部２０Ｌ−Ｃと、基部２０Ｌ−Ｃから電極２０Ｌ−１に向かって突出する櫛歯部分２０Ｌ−Ｄ１〜Ｄ３とを有している。なお、基部２０Ｕ−Ａと基部２０Ｌ−Ａの構成及び作用、及び櫛歯部分２０Ｕ−Ｂ１〜Ｂ３と櫛歯部分２０Ｌ−Ｂ１〜Ｂ３の構成及び作用は、夫々同じであるため、両者を区別する必要が特に無い場合は「Ｌ」および「Ｕ」の記載を省略する。また、基部２０Ｕ−Ｃと基部２０Ｌ−Ｃの構成及び作用、及び櫛歯部分２０Ｕ−Ｄ１〜Ｄ３と櫛歯部分２０Ｌ−Ｄ１〜Ｄ３の構成及び作用は、夫々同じであるため、両者を区別する必要が特に無い場合は「Ｌ」および「Ｕ」の記載を省略する。なお、基部２０−Ａは第１の電極部分に相当し、櫛歯部分２０−Ｂ１〜Ｂ３は第２の電極部分に相当する。基部２０−Ｃは第３の電極部分に相当し、櫛歯部分２０−Ｄ１〜Ｄ３は第４の電極部分に相当する。櫛歯部分２０−Ｂ１〜Ｂ３及び櫛歯部分２０−Ｄ１〜Ｄ３は、例えば、Ｚ軸正方向からみて矩形の形状となっている。静電型スピーカ１のＹ軸方向の長さが例えば３ｍ程度だとした場合、櫛歯部分２０−Ｂ１〜Ｂ３及び櫛歯部分２０−Ｄ１〜Ｄ３のＹ軸方向の長さは、例えば１ｍ程度である。櫛歯部分２０−Ｂ１と櫛歯部分２０−Ｂ２との間のＸ軸方向の長さは、櫛歯部分２０−Ｄ１のＸ軸方向の長さよりも長い。櫛歯部分２０−Ｂ２と櫛歯部分２０−Ｂ３との間のＸ軸方向の長さは、櫛歯部分２０−Ｄ２のＸ軸方向の長さよりも長い。そして、櫛歯部分２０−Ｄ２と櫛歯部分２０−Ｄ３との間のＸ軸方向の長さは、櫛歯部分２０−Ｂ３のＸ軸方向の長さよりも長い。櫛歯部分２０−Ｄ２と櫛歯部分２０−Ｄ１との間のＸ軸方向の長さは、櫛歯部分２０−Ｂ２のＸ軸方向の長さよりも長い。静電型スピーカ１のＸ軸方向の長さが例えば６０ｃｍ程度だとした場合、櫛歯部分２０−Ｂ１〜Ｂ３及び櫛歯部分２０−Ｄ１〜Ｄ３のＸ軸方向の長さは、例えば４〜４．５ｃｍ程度である。各櫛歯部分は上記のような関係にあるため、電極２０−１及び電極２０−２が図のように噛み合わせる（入り組ませる）ことが可能となっている。
【００１５】
（静電型スピーカ１の構造）
次に、静電型スピーカ１の構造について説明する。振動体１０は、たるみが生じないように張力を掛けられた状態でスペーサ３０Ｕとスペーサ３０Ｌの枠の間に挟まれている。振動体１０は、そのＸ軸方向の縁とＹ軸方向の縁からそれぞれ内側へ数ｍｍの幅で接着剤が塗布されてスペーサ３０Ｕとスペーサ３０Ｌに固着されている。振動体１０の接着剤が塗布されていない部分は、スペーサ３０Ｕとスペーサ３０Ｌに固着されていない。
【００１６】
電極２０Ｕ−１及び電極２０Ｕ−２は、櫛歯部分２０Ｕ−Ｂ１〜Ｂ３と、櫛歯部分２０Ｕ−Ｄ１〜Ｄ３とが交互に入り組んだ状態で、互いに接触しないように所定の間隔を開けた状態でスペーサ３０Ｕに固着されている。また、電極２０Ｌ−１及び電極２０Ｌ−２においても、電極２０Ｕ−１及び電極２０Ｕ−２と同様にして、櫛歯部分２０Ｌ−Ｂ１〜Ｂ３と、櫛歯部分２０Ｌ−Ｄ１〜Ｄ３とが交互に入り組んだ状態で、互いに接触しないように間隔を開けた状態でスペーサ３０Ｌに固着される。この構成によれば、電極２０Ｕ−１は振動体１０を挟んで電極２０Ｌ−１と対向し、電極２０Ｕ−２は振動体１０を挟んで電極２０Ｌ−２と対向する。つまり、電極２０Ｕ−１及び電極２０Ｌ−１は、振動体１０を挟んで対向する第１電極対に相当し、電極２０Ｕ−２及び電極２０Ｌ−２は、振動体１０を挟んで対向する第２電極対に相当する。電極２０−１の櫛歯部分と、電極２０−２の櫛歯部分とを交互に入り組んだように組み合わせた場合において、その全体をZ軸方向から
見た形状は矩形となり、その大きさ（Ｘ軸方向、Ｙ軸方向の長さ）は振動体１０の大きさと同じである。
【００１７】
（静電型スピーカ１の電気的構成）
次に、静電型スピーカ１の電気的構成について説明する。図３は、静電型スピーカ１の電気的構成を示した図である。図３に示したように、静電型スピーカ１は変圧器５０−１，５０−２と、異なるチャンネルの音声信号が入力可能な入力部６０−１，６０−２と、振動体１０に対して直流バイアスを与えるバイアス電源７０とを備えている。
【００１８】
バイアス電源７０は、正極側が振動体１０の導電膜に接続され、負極側が変圧器５０−１，５０−２の出力側の中点に接続されている。また、変圧器５０−１の出力側の一端は電極２０Ｕ−１に接続され、他端は電極２０Ｕ−１に対向している電極２０Ｌ−１に接続されている。そして、変圧器５０−１の入力側は入力部６０−１に接続されており、入力部６０−１に音声信号が入力されると音声信号に応じた電圧が電極２０Ｕ−１と電極２０Ｌ−１に印加される。この構成において、入力部６０−１に入力された音声信号に応じた電圧が電極２０Ｕ−１及び電極２０Ｌ−１に印加されることで、静電型スピーカ１は、プッシュプル型の静電型スピーカとして動作する。また、変圧器５０−２の出力側の一端は電極２０Ｕ−２に接続され、他端は電極２０Ｕ−２に対向している電極２０Ｌ−２に接続されている。そして、変圧器５０−２の入力側は入力部６０−２に接続されており、入力部６０−２に音声信号が入力されると音声信号に応じた電圧が電極２０Ｕ−２と電極２０Ｌ−２に印加される。この構成において、入力部６０−２に入力された音声信号に応じた電圧が、振動体１０を挟んで対向する電極２０Ｕ−２及び電極２０Ｌ−２に印加されることで、静電型スピーカ１は、プッシュプル型の静電型スピーカとして動作する。
【００１９】
（静電型スピーカ１の動作）
次に、静電型スピーカ１の動作について説明する。
入力部６０−１に音声信号が入力されると、入力された音声信号に応じた電圧が変圧器５０−１から電極２０Ｕ−１と電極２０Ｌ−１に印加される。そして、印加された電圧によって電極２０Ｕ−１と電極２０Ｌ−１との間に電位差が生じると、振動体１０において電極２０Ｕ−１と電極２０Ｌ−１の間にある部分（以下、第１部分という）には、電極２０Ｕ−１と電極２０Ｌ−１のいずれかの側へ引き寄せられる方向に静電力が働く。
【００２０】
例えば、入力部６０−１に入力された音声信号が変圧器５０−１に供給されたことにより、電極２０Ｕ−１にプラスの電圧（例えば＋１００Ｖ）が印加され、電極２０Ｌ−１にマイナスの電圧（例えば−１００Ｖ）が印加されたものとする。この場合、振動体１０にはバイアス電源７０によりプラスの電圧（例えば＋３５０Ｖ）が印加されているため、電極２０Ｕ−１にかかる電圧は３５０−１００＝２５０Ｖとなって引力が弱くなり、電極２０Ｌ−１にかかる電圧は３５０−（−１００）＝４５０Ｖとなって引力が強くなる。このため振動体１０の第１部分は、引力の差分だけ電極２０Ｌ−１側に変位する。また、入力部６０−１に音声信号が入力された音声信号が変圧器５０−１に供給されたことにより、電極２０Ｕ−１にマイナスの電圧（例えば−１００Ｖ）が印加され、電極２０Ｌ−１にプラスの電圧（例えば＋１００Ｖ）が印加されたものとする。この場合、振動体１０にはバイアス電源７０によりプラスの電圧（例えば＋３５０Ｖ）が印加されているため、電極２０Ｕ−１にかかる電圧は３５０−（−１００）＝４５０Ｖとなって引力が強くなり、電極２０Ｌ−１にかかる電圧は３５０−１００＝２５０Ｖとなって引力が弱くなる。このため振動体１０の第１部分は、引力の差分だけ電極２０Ｕ−１側に変位する。このように、振動体１０の第１部分は、入力部６０−１に入力された音声信号に応じて、電極２０Ｕ−１側または電極２０Ｌ−１側に変位し、その変位する方向が逐次変わることによって振動する。そして、この振動の状態、具体的には周波数や振幅に応じた音が振動体１０の第１部分から発生する。発生した音は、少なくとも電極２０Ｕ−１側または電極２０Ｌ−１側の一方を通り抜けて静電型スピーカ１の外部に放射される。
【００２１】
また、入力部６０−２に音声信号が入力されると、入力された音声信号に応じた電圧が変圧器５０−２から電極２０Ｕ−２と電極２０Ｌ−２に印加される。そして、印加された電圧によって電極２０Ｕ−２と電極２０Ｌ−２との間に電位差が生じると、振動体１０において電極２０Ｕ−２と電極２０Ｌ−２の間にある部分（以下、第２部分という）には、電極２０Ｕ−２と電極２０Ｌ−２のいずれかの側へ引き寄せられる方向に静電力が働く。そして、振動体１０の第２部分は、振動体１０の第１部分と同様にして、入力部６０−２に入力された音声信号に応じて、電極２０Ｕ−２側または電極２０Ｌ−２側に変位し、その変位する方向が逐次変わることによって振動する。そして、その振動状態（周波数、振幅）に応じた音が振動体１０の第２部分から発生する。発生した音は、少なくとも電極２０Ｕ−２側または電極２０Ｌ−２側の一方を通り抜けて静電型スピーカ１の外部に放射される。
【００２２】
静電型スピーカ１において、互いに異なるチャンネルの音声信号を入力部６０−１及び入力部６０−２に入力されると、第１部分と第２部分において各音声信号に応じた振動が発生するから、これらの第１部分と第２部分から互いに異なる音を発生させることができる。つまり、静電型スピーカ１は、電極２０Ｕ−１と電極２０Ｌ−１および振動体１０の第１部分で一つのスピーカユニットとして機能し、電極２０Ｕ−２と電極２０Ｌ−２および振動体１０の第２部分で一つのスピーカユニットとして機能する。
【００２３】
ここで、それぞれ異なるチャンネルの音声信号Ｒ及び音声信号Ｌなるものを想定し、電極２０Ｕ−１，２０Ｌ−１に音声信号Ｒに応じた電圧が印加され、電極２０Ｕ−２，２０Ｌ−２に音声信号Ｌに応じた電圧が印加されたものとする。この場合において、振動体１０から発生した音の音圧について図４を用いて説明する。なお、図４（ａ）に図示された振動体１０、電極２０−１，２０−２の寸法は、構成要素の形状を容易に理解できるように実際の寸法とは異ならせてある。特に、波線を付した箇所については、夫々の構成要素のＹ軸方向の長さを省略したことを示している。なお、図中の破線は、電極２０の櫛歯部分及び基部の形状を表している。これは、以降の図の説明においても同様である。まず、図４（ａ）に示すように、振動体１０の第１部分１０−１の形状は、電極２０−１の形状と同様にＺ軸正方向からみて櫛歯状となっており、振動体１０の第２部分１０−２の形状は、電極２０−２の形状と同様にＺ軸正方向からみて櫛歯状となっている。ここにおいて、振動体１０の第１部分１０−１において、電極２０Ｕ−１の櫛歯部分２０Ｕ−Ｂ１〜Ｂ３と、電極２０Ｌ−１の櫛歯部分２０Ｌ−Ｂ１〜Ｂ３との間にある部分を第１櫛歯領域１１−Ｂとし、残りの部分を第１基部領域１１−Ａとする。また、振動体１０の第２部分１０−２において、電極２０Ｕ−２の櫛歯部分２０Ｕ−Ｄ１〜Ｄ３と、電極２０Ｌ−２の櫛歯部分２０Ｌ−Ｄ１〜Ｄ３との間にある部分を第２櫛歯領域１１−Ｄとし、残りの部分を第２基部領域１１−Ｃとする。また、第２基部領域１１−ＣのＹ軸方向の長さをＬ１、第１櫛歯領域１１−Ｂ及び第２櫛歯領域１１−ＤのＹ軸方向の長さをＬ２、及び第１基部領域１１−ＡのＹ軸方向の長さをＬ３とする。
【００２４】
図４（ｂ）において、横軸は、振動体１０のいずれかの隅の部分を（ここでは図４（ａ）の右下隅）をＸＹＺ座標空間の原点としたときのＹ軸上の位置（ｍｍ）を表し、縦軸は、その位置で振動体１０から出力される音の音圧（ｄＢ）を表している。まず、振動体１０の原点からＬ３の位置に至る領域では、第１基部領域１１−Ａのみが存在しているから、音声信号Ｒに応じた音の音圧Ｒαのみを得ることができる。次に、振動体１０のＬ３の位置からＬ２＋Ｌ３の位置に至る領域では、第１櫛歯領域１１−Ｂが存在しているから、音声信号Ｒに応じた音の音圧Ｒβを得ることができる。ここで、図４（ａ）に示したように、第１櫛歯領域１１−Ｂの面積は第１基部領域１１−Ａよりも面積が狭いから、その面積にほぼ比例して音圧Ｒβは音圧Ｒαよりも小さくなる。また、この位置においては、第１櫛歯領域１１−Ｂだけでなく、第２櫛歯領域１１−Ｄも存在しているから、音声信号Ｌに応じた音の音圧Ｌβも得ることができる。したがって、振動体１０のＬ３の位置からＬ２＋Ｌ３の位置に至る領域においては、音声信号Ｌに応じた音の音圧Ｌβ及び音声信号Ｒに応じた音の音圧Ｒβを夫々得ることができる。そして、振動体１０のＬ２＋Ｌ３の位置からＬ１＋Ｌ２＋Ｌ３の位置に至る領域では、第２基部領域１１−Ｃのみが存在しているから、音声信号Ｌに応じた音の音圧Ｌαのみを得ることができる。ここで、図４（ａ）に示したように、第２基部領域１１−Ｃの面積は第２櫛歯領域１１−Ｄの面積よりも広いから、その面積にほぼ比例して音圧Ｌαは音圧Ｌβよりも大きくなる。
【００２５】
このように、静電型スピーカ１は、振動体１０のＬ３の位置からＬ２＋Ｌ３の位置に至る領域に居る人に対し、音声信号Ｒに応じた音及び音声信号Ｌに応じた音を聴こえさせることができる。その一方で、静電型スピーカ１は、振動体１０の原点の位置からＬ３の位置に至る領域に居る人に対し、音声信号Ｒに応じた音を聴こえさせることができ、また、振動体１０のＬ２＋Ｌ３の位置からＬ１＋Ｌ２＋Ｌ３の位置に至る領域に居る人に対し、音声信号Ｌに応じた音を聴こえさせることができる。
【００２６】
静電型スピーカ１のこのような作用を利用して、静電型スピーカ１を、広告媒体として用いた場合の効果について説明する。図５に示したように、静電型スピーカ１は、その最外面を音響透過性及び絶縁性を有したカバー部材９０で覆われている例を想定する。カバー部材９０の表面には、広告に関連する画像（広告画像９１）が形成されている。そして、静電型スピーカ１は、Ｘ軸正方向を上にして壁に貼り付けられている。そして、バックグラウンドミュージックを表す音声信号Ｒが入力部６０−１に入力され、広告画像９１に応じた宣伝文句を表す音声信号Ｌが入力部６０−２に入力される。このような状況において、聴者となる通行人が、振動体１０の原点付近からＹ軸正方向に向かって歩行した場合を考える。通行人は、振動体１０の原点からＬ３の位置に至るまでは、静電型スピーカ１から発せられたバックグラウンドミュージック（音声信号Ｒ）の音を聴くこととなる。通行人は、その音に気付いて音の発生方向を見たときに、静電型スピーカ１を覆う広告画像９１を視認することとなる。次に、通行人が歩行を続けて、振動体１０のＬ３の位置からＬ２＋Ｌ３の位置に至る領域に来ると、バックグラウンドミュージックに加えて宣伝文句（音声信号Ｌ）を聴くことになる。この際、通行人は広告画像９１の内容を見ながら、バックグランドミュージックに加えて、広告画像９１に応じた宣伝文句を聴くこととなる。つまり、これは複数チャンネルの音を合わせた音を聴く状態であるから、この通行人がにぎやかな雰囲気の中で広告に対する興味を持つようになることを期待できる。そして、通行人がさらに歩行を続けると、振動体１０のＬ２＋Ｌ３の位置からＬ１＋Ｌ２＋Ｌ３の位置に至る領域において、バックグラウンドミュージックを除いた、宣伝文句のみを聴くことになる。このように、通行人はにぎやかな雰囲気から一変して広告の宣伝文句のみを聴くことがきる状態、つまりその宣伝文句を注意深く聴き内容を理解しやすい状態になるので、広告の内容そのものに対する理解が深まることが期待できる。このように、静電型スピーカ１は、聴者との相対的な位置関係に応じて聴者に聴かせる音を変化させることで、広告に対する聴者の注意を喚起することができる。
【００２７】
［変形例］
上述した実施形態の内容を以下のように変形してもよい。以下に示す各変形例は、必要に応じて組み合わせて実施されてもよい。
【００２８】
（変形例１）
上述した実施形態においては、静電型スピーカ１は、その最外面に電極２０−１及び電極２０−２が配置されているが、音響透過性及び絶縁性を有するカバーで覆われていてもよい。この構成によれば、振動体１０から発生した音を静電型スピーカ１の外部に放射することができるとともに、人体が感電する可能性を低くすることができる。
【００２９】
（変形例２）
上述した実施形態においては、電極２０−１，２０−２は互いに接触しないように間隔を開けてスペーサ３０に固定されているが、各電極間に絶縁体を配置して隣あう電極が互いに接触しないようにしてもよい。この構成によれば、静電型スピーカ１は、電極同士が接触しても短絡することがない。また、電極２０−１，２０−２は、絶縁性を有するカバーで覆われていてもよい。この構成によれば、静電型スピーカ１は、人体が感電する可能性を低くすることができる。
【００３０】
（変形例３）
上述した実施形態においては、電極２０−１，２０−２は導電性を有する金属で形成されているが、導電性を有する糸を織った布であってもよい。また、上述した実施形態においては、電極２０−１，２０−２と振動体１０との間にスペーサ３０が設けられているが、このスペーサ３０に変えて、弾性部材８０を設けてもよい。弾性部材８０は、弾性及び絶縁性を有し、振動体１０と電極２０とを離間させて、振動体１０と電極２０との間に空気層を形成するための離間部材である。弾性部材８０は、Ｚ軸方向からみて矩形の形状である。弾性部材８０のＸ軸方向の長さと、振動体１０のＸ軸方向の長さは同じであり、弾性部材８０のＹ軸方向の長さと、振動体１０のＹ軸方向の長さは同じである。この構成によれば、静電型スピーカ１ａは、その形状を曲面状にしたり折り曲げたりするなど自在に変形させることができる。
【００３１】
（変形例４）
上述した実施形態においては、電極２０−１の櫛歯部分２０−Ｂ１〜Ｂ３及び電極２０−２の櫛歯部分２０−Ｄ１〜Ｄ３は、Ｚ軸正方向からみて矩形の形状となっていたが、矩形以外の形状であってもよい。例えば、図６（ａ）に示すように、電極２０−１ｂ，２０−２ｂの櫛歯部分が、Ｚ軸正方向からみて三角形の形状であってもよい。なお、図６（ａ）に図示された振動体１０、電極２０Ｕ−１，２０Ｌ−１の寸法は、構成要素の形状を容易に理解できるように実際の寸法とは異ならせてある。特に、波線を付した箇所については、夫々の構成要素のＹ軸方向の長さを省略したことを示している。この場合、電極２０−１ｂの櫛歯部分は、基部から距離が大きくなるほど、その幅が徐々に小さくなり、電極２０−２ｂの櫛歯部分は、基部から距離が大きくなるほど、その幅が徐々に小さくなる。ここでいう幅とは、突出方向に垂直な方向であって、振動体１０の振動面に平行な方向の長さをいう。更にこの場合には、振動体１０において、電極２０Ｕ−１ｂの櫛歯部分と、電極２０Ｌ−１ｂの櫛歯部分との間にある部分もＺ軸正方向からみて三角形の形状となる。この部分を、第１櫛歯領域１１−Ｂｂとする。同様に、振動体１０において、電極２０Ｕ−２ｂの櫛歯部分と、電極２０Ｌ−２ｂの櫛歯部分との間にある部分もＺ軸正方向からみて三角形の形状となる。この部分を、第２櫛歯領域１１−Ｄｂとする。そして、振動体１０において、第１櫛歯領域１１−Ｂｂ及び第２櫛歯領域１１−ＤｂのＹ軸方向の長さをＬ２、それ以外の部分（第１基部領域１１−Ａｂ及び第２基部領域１１−Ｃｂ）のＹ軸方向の長さをＹ軸正方向に向かって順にＬ３，Ｌ１とする。電極２０Ｕ−１ｂ，２０Ｌ−１ｂには音声信号Ｒに応じた電圧が印加され、電極２０Ｕ−２ｂ，２０Ｌ−２ｂには音声信号Ｌに応じた電圧が印加される。この場合において、振動体１０から発生した音の音圧について図６（ｂ）を用いて説明する。
【００３２】
図６（ｂ）において、横軸は振動体１０の原点（ここでは図６（ａ）の右下隅）からのＹ軸正方向の位置（ｍｍ）を表し、縦軸はその位置で得ることができる音の音圧（デシベル）を表している。振動体１０の原点からＬ３の位置に至る領域では、音声信号Ｒに応じた音の音圧Ｒαのみを得ることができる。また、振動体１０のＬ２＋Ｌ３の位置からＬ１＋Ｌ２＋Ｌ３の位置に至る領域では、音声信号Ｌに応じた音の音圧Ｌαのみを得ることができる。そして、振動体１０のＬ３の位置からＬ２＋Ｌ３の位置に至る領域においては、まず、第１櫛歯領域１１−Ｂｂが存在しているから、音声信号Ｒに応じた音の音圧を得ることができる。ここで、図６（ａ）に示したように、第１櫛歯領域１１−Ｂｂの面積は、振動体１０のＬ３の位置からＹ軸正方向に向かうにつれて徐々に小さくなり、振動体１０のＬ２＋Ｌ３の位置において０となる。したがって、第１櫛歯領域１１−Ｂｂの面積にほぼ比例する音声信号Ｒに応じた音の音圧は、振動体１０のＬ３の位置において音圧Ｒαであるが、振動体１０のＬ３の位置からＬ２＋Ｌ３の位置に向かうにつれて徐々に小さくなり、振動体１０のＬ２＋Ｌ３の位置において音圧０となる。更に、振動体１０のＬ３の位置からＬ２＋Ｌ３の位置においては、第１櫛歯領域１１−Ｂｂだけでなく、第２櫛歯領域１１−Ｄｂも存在しているから、音声信号Ｌに応じた音の音圧も得ることができる。ここで、図６（ａ）に示したように、第２櫛歯領域１１−Ｄｂの面積は、振動体１０のＬ２＋Ｌ３の位置からＹ軸負方向に向かうにつれて徐々に小さくなり、振動体１０のＬ３の位置において０となる。したがって、第２櫛歯領域１１−Ｄｂの面積にほぼ比例する音声信号Ｌに応じた音の音圧は、振動体１０のＬ２＋Ｌ３の位置において音圧Ｌαであるが、振動体１０のＬ２＋Ｌ３の位置からＬ３の位置に向かうにつれて徐々に小さくなり、振動体１０のＬ３の位置においては音圧０となる。
【００３３】
この電極２０−１ｂ，２０−２ｂを備えた静電型スピーカ１ｂは、振動体１０のＬ３の位置からＬ２＋Ｌ３の位置に応じて、音声信号Ｌ及び音声信号Ｒに応じた音の音圧を徐々に変化させることができる。例えば、女性のボーカル音を表す音声信号Ｒを入力部６０−１に入力し、男性のボーカル音を表す音声信号Ｌを入力部６０−２に入力した場合について説明する。静電型スピーカ１ｂは、Ｘ軸正方向を上にして壁に貼り付けられ、聴者となる通行人が、振動体１０の原点付近からＹ軸正方向に向かって歩行した場合を想定する。まず、通行人は、振動体１０の原点からＬ３の位置に至るまでは、静電型スピーカ１ｂから発せられた女性のボーカル音（音声信号Ｒ）を聴くこととなる。つまり、静電型スピーカ１ｂは、単チャンネルの音のみを聴者に聴かせることになる。次に、通行人が歩行を続けて、振動体１０のＬ３の位置からＬ２＋Ｌ３の位置に至る領域に来ると、女性のボーカル音に加えて男性のボーカル音（音声信号Ｌ）を聴くことになる。この際、通行人は、振動体１０のＬ３の位置からＬ２＋Ｌ３の位置に向かうにつれて、徐々に小さくなる女性のボーカル音と、徐々に大きくなる男性のボーカル音とを聴くことになる。つまり、静電型スピーカ１ｂは、複数チャンネルの音を合わせた状態で聴者に聴かせることになる。そして、通行人がさらに歩行を続けると、振動体１０のＬ２＋Ｌ３の位置からＬ１＋Ｌ２＋Ｌ３の位置に至る領域において、女性のボーカル音を除いた、男性のボーカル音のみを聴くことになる。つまり、静電型スピーカ１ｂは、単チャンネルの音のみを聴者に聴かせることになる。このように、通行人は、Ｙ軸方向への移動により、女性のボーカル音が聞こえる状態から、男性のボーカル音が聞こえる状態へという、音が聞こえる状態の移り変わりを体験することができる。
【００３４】
なお、本変形例においては、図６（ａ）に示すように、電極２０−１ｂ，２０−２ｂの櫛歯部分がＺ軸正方向からみて三角形の形状であるものとしたが櫛歯部分の形状これに限られない。基部からの距離が大きくなるほど、櫛歯部分の幅が徐々に小さくなればよく、例えば、波形のように曲線の構造を有していてもよい。
【００３５】
（変形例５）
上述した実施形態においては、電極２０−１の櫛歯部分２０−Ｂ１〜Ｂ３及び電極２０−２の櫛歯部分２０−Ｄ１〜Ｄ３は、Ｙ軸方向の長さが夫々同じとなっていたが、Ｙ軸方向の長さが夫々異なっていてもよい。例えば、図７に示すように、Ｘ軸正方向に向かうにつれて、電極２０−１ｃの櫛歯部分２０−Ｂｃ、及び電極２０−２ｃの櫛歯部分２０−ＤｃのＹ軸方向の長さが短くなるようにしてもよい。
【００３６】
この電極２０−１ｃ，２０−２ｃを備えた静電型スピーカ１ｃは、電極２０−１ｃ，２０−２ｃのＸ軸正方向が上方向となるように壁などに貼り付けられることにより、聴者の耳の高さに応じて異なる音を発生させることができる。これは、例えば背の低い子供に対しては、音声信号Ｌ及び音声信号Ｒをミキシングした状態を長期間維持したい一方、背の高い大人に対しては、音声信号Ｌ及び音声信号Ｒをミキシングした状態を短期間維持するだけでよいといった利用シーンに適している。
【００３７】
（変形例６）
上述した実施形態においては、電極２０−１の櫛歯部分２０−Ｂ１〜Ｂ３と、電極２０−２の櫛歯部分２０−Ｄ１〜Ｄ３とが入り組んだ状態で、互いに接触しないように間隔を開けた状態でスペーサ３０に固着されていた。しかしながら、電極２０−１の櫛歯部分の数及び電極２０−２の櫛歯部分の数はこれに限られない。例えば、図８（ａ）に示すように、電極２０−１ｄは、基部２０−Ａｄ（第１の電極部分）と、基部２０−Ａｄから電極２０−２ｄに向かって突出する複数の櫛歯部分２０−Ｂｄ（第２の電極部分）を有し、さらに、電極２０−２ｄは、基部２０−Ｃｄ（第３の電極部分）と、基部２０−Ｃｄから電極２０−１ｄに向かって突出する１以上の櫛歯部分２０−Ｄｄ（第４の電極部分）を有していればよい。そして、更に、振動体１０から見て同じ側にある電極群のうち、２つの櫛歯部分２０−Ｂｄによって挟まれる位置に、櫛歯部分２０−Ｄｄが配置されていればよい。このように構成された電極２０−１ｄ及び電極２０−２ｄを備えた静電型スピーカ１ｄは、出力される音の位相制御を行わなかったとしても、あるときは複数チャンネルの音を合わせた状態で聴者に聴かせ、また、あるときは単チャンネルの音のみを聴者に聴かせたりすることができる。
【００３８】
更に、電極２０−１の櫛歯部分及び電極２０−２の櫛歯部分の間隔は均一でなくてもよい。例えば、図８（ｂ）に示すように、電極２０−１ｅは、基部２０−Ａｅと、基部２０−Ａｅから電極２０−２ｅに向かって突出する櫛歯部分２０−Ｂ１ｅ，２０−Ｂ２ｅを有し、さらに、電極２０−２ｅは、基部２０−Ｃｅと、基部２０−Ｃｅから電極２０−１ｅに向かって突出する櫛歯部分２０−Ｄ１ｅ，２０−Ｄ２ｅを有している。櫛歯部分２０−Ｂ１ｅ，２０−Ｂ２ｅ及び櫛歯部分２０−Ｄ１ｅ，２０−Ｄ２ｅは、Ｚ軸正方向からみて矩形の形状となっており、夫々のＸ軸方向及びＹ軸方向の長さが同じである。櫛歯部分２０−Ｂ１ｅと櫛歯部分２０−Ｄ１ｅのＸ軸方向の間隔は、櫛歯部分２０−Ｂ２ｅと櫛歯部分２０−Ｄ２ｅのＸ軸方向の間隔と同じであり、櫛歯部分２０−Ｂ１ｅと櫛歯部分２０−Ｄ２ｅのＸ軸方向の間隔よりも短い。櫛歯部分２０−Ｂ１ｅと櫛歯部分２０−Ｄ２ｅの間のように、電極２０Ｕ−１ｅと電極２０Ｌ−１ｅ、電極２０Ｕ−２ｅと電極２０Ｌ−２ｅに挟まれていない振動体１０の部分（以降、第３部分１３という）は、振動して音を発生することがない。このように構成された電極２０−１ｅ及び電極２０−２ｅを備えた静電型スピーカ１ｅは、第３部分１３を設けることで、出力する音の音圧を調整することができる。これは、例えば第３部分１３に対向する位置に居る人に対しては音を聴こえさせない状態にしたい一方、第３部分１３に対向する位置以外に居る人に対しては音を聴こえさせる状態にしたいといった利用シーンに適している。
【００３９】
（変形例７）
上述した実施形態においては、電極２０Ｌ−１は振動体１０を挟んで電極２０Ｕ−１と対向し、電極２０Ｌ−２は振動体１０を挟んで電極２０Ｕ−２と対向していた。しかしながら、振動体１０を挟んで対向する電極対の数は２つに限定されるものではない。
【００４０】
図９は、この変形例７に係る静電型スピーカ１ｆの外観を示した斜視図である。同図に示すように、図中のＹ軸方向に向かって３つの電極対（電極２０Ｕ−１ｆ〜２０Ｕ−３ｆ，２０Ｌ−１ｆ〜２０Ｌ−３ｆ）を配置し、夫々の電極２０−１ｆ〜２０−３ｆの櫛歯部分が交互に入り組んだ状態で、互いに接触しないように間隔を開けた状態でスペーサ３０Ｕ，３０Ｌに固着されていている。振動体１０は、たるみが生じないように張力を掛けられた状態でスペーサ３０Ｕとスペーサ３０Ｌの枠の間に配置されている。そして、第１チャンネルの音声信号に応じた電圧が電極２０Ｕ−１ｆ及び電極２０Ｌ−１ｆに印加され、第２チャンネルの音声信号に応じた電圧が電極２０Ｕ−２ｆ及び電極２０Ｌ−２ｆに印加され、第３チャンネルの音声信号に応じた電圧が電極２０Ｕ−３ｆ及び電極２０Ｌ−３ｆに印加される。なお、静電型スピーカ１ｆは、図中のＹ軸方向に向かって４つ以上の電極対を配置してもよい。このように構成された静電型スピーカ１ｆが、Ｘ軸正方向を上方向として壁に貼り付けられた場合、人は、Ｙ軸方向への移動により、単音が聴こえる状態から複数音のミキシング音が聴こえる状態へ、または、複数音のミキシング音が聴こえる状態から単音が聴こえる状態へという、音が聴こえる状態の移り変わりを４回以上体験することができる。
【００４１】
図１０は、この変形例７に係る、別の静電型スピーカ１ｇの外観を示した斜視図である。同図に示すように、図中のＸ軸方向とＹ軸方向に２行２列の電極対（電極２０Ｕ−１ｇ〜２０Ｕ−４ｇ，２０Ｌ−１ｇ〜２０Ｌ−４ｇ）を配置し、夫々の電極２０−１ｇ〜２０−４ｇの櫛歯部分が交互に入り組んだ状態で、互いに接触しないように間隔を開けた状態でスペーサ３０Ｕ，３０Ｌに固着されていている。振動体１０は、たるみが生じないように張力を掛けられた状態でスペーサ３０Ｕとスペーサ３０Ｌの枠の間に配置されている。そして、第１チャンネルの音声信号に応じた電圧が電極２０Ｕ−１ｇ及び電極２０Ｌ−１ｇに印加され、第２チャンネルの音声信号に応じた電圧が電極２０Ｕ−２ｇ及び電極２０Ｌ−２ｇに印加され、第３チャンネルの音声信号に応じた電圧が電極２０Ｕ−３ｇ及び電極２０Ｌ−３ｇに印加され、第４チャンネルの音声信号に応じた電圧が電極２０Ｕ−４ｇ及び電極２０Ｌ−４ｇに印加される。このように構成された静電型スピーカ１ｇが、Ｚ軸正方向を天井などに貼り付けられた場合、人は、Ｙ軸方向への移動に加え、Ｘ軸方向に移動しても、音が聴こえる状態の移り変わりを体験することができる。なお、ここで述べたように、静電型スピーカの配置場所は壁に限らず、例えば天井や床など、どのような場所であってもよい。
【００４２】
（変形例８）
上述した実施形態においては、電極２０−１の櫛歯部分と、電極２０−２の櫛歯部分とが入り組んだ状態でスペーサ３０に固着されていた。しかしながら、電極２０−１の櫛歯部分と電極２０−２の櫛歯部分の間隔を動的に変更できるようにしてもよい。図１１は、この変形例８に係る静電型スピーカ１ｈの外観を示した斜視図である。同図に示すように、静電型スピーカ１ｈは、第１の静電放音部に相当する放音部４０−１と、第２の静電放音部に相当する放音部４０−２とを備えている。これら放音部４０−１及び放音部４０−２はそれぞれが単体で機能し得る静電型スピーカとして構成されている。
【００４３】
振動体１０−１ｈ，１０−２ｈは、例えば、ＰＥＴまたはＰＰなどの透明フィルムの表面に、導電性を有する金属の導電膜を形成したものである。振動体１０−１ｈ，１０−２ｈの厚さは、数μｍ程度の厚さで薄い膜状となっているため、外力を受けると自在に変形する。振動体１０−１ｈはＺ軸方向からみて電極２０−１の形状と同じであり、振動体１０−２ｈはＺ軸方向からみて電極２０−２の形状と同じである。弾性部材８０Ｕ−１ｈ，８０Ｌ−１ｈ，８０Ｕ−２ｈ，８０Ｌ−２ｈは、絶縁性、弾性及び音響透過性を有する素材で形成されていれば、スポンジ状、シート状、不織布など様々な形態をとることができる。弾性部材８０Ｕ−１ｈ，８０Ｌ−１ｈはＺ軸方向からみて電極２０−１の形状と同じであり、弾性部材８０Ｕ−２ｈ，８０Ｌ−２ｈはＺ軸方向からみて電極２０−２の形状と同じである。
【００４４】
次に、静電型スピーカ１ｈの構造について説明する。振動体１０−１ｈは、弾性部材８０Ｕ−１ｈと弾性部材８０Ｌ−１ｈの間に配置されている。振動体１０−１ｈは、Ｘ軸方向の縁とＹ軸方向の縁からそれぞれ内側へ数ｍｍの幅で接着剤が塗布されて弾性部材８０Ｕ−１ｈと弾性部材８０Ｌ−１ｈに固着されている。振動体１０−１ｈの接着剤が塗布されていない部分は、弾性部材８０Ｕ−１ｈと弾性部材８０Ｌ−１ｈに固着されていない。電極２０Ｕ−１は、振動体１０−１ｈを挟んで電極２０Ｌ−１と対向した状態で弾性部材８０Ｕ−１ｈに固着されており、電極２０Ｌ−１は、振動体１０−１ｈを挟んで電極２０Ｕ−１と対向した状態で弾性部材８０Ｌ−１ｈに固着されている。電極２０−１は、基部２０−Ａと、基部２０−Ａから突出する複数の櫛歯部分２０−Ｂ１〜Ｂ３を有している。また、電極２０Ｕ−２は、振動体１０−２ｈを挟んで電極２０Ｌ−２と対向した状態で弾性部材８０Ｕ−２ｈに固着されており、電極２０Ｌ−２は、振動体１０−２ｈを挟んで電極２０Ｕ−２と対向した状態で弾性部材８０Ｌ−２ｈに固着されている。電極２０−２は、基部２０−Ｃと、基部２０−Ｃから突出する１以上の櫛歯部分２０−Ｄ１〜Ｄ３を有している。このように構成された静電型スピーカ１ｈは、櫛歯部分２０−Ｂ１〜Ｂ３が電極２０−２に向かって突出し、櫛歯部分２０−Ｄ１〜Ｄ３が電極２０−１に向かって突出し、２つの櫛歯部分２０−Ｂによって挟まれる位置に櫛歯部分２０−Ｄが配置された状態で、放音部４０−１及び放音部４０−２を支持することが可能となる。
【００４５】
Ｒチャンネルの音声信号Ｒに応じた電圧が電極２０Ｕ−１及び電極２０Ｌ−１に印加され、Ｌチャンネルの音声信号Ｌに応じた電圧が電極２０Ｕ−２及び電極２０Ｌ−２に印加された場合、放音部４０−１と放音部４０−２とがお互いに入り組む長さを動的に変更することで、複数音のミキシング音が聴こえる領域の大きさを変えることができる。例えば図１２（ａ）と図１２（ｂ）とを比較すると、図１２（ａ）の放音部４０−１と放音部４０−２とが互いに入り組む長さは図１２（ｂ）のそれよりも短くなっている。つまり、図１２（ａ）に示した静電型スピーカ１ｈは、図１２（ｂ）に示した静電型スピーカ１ｈよりも、音声信号Ｒに応じた音及び音声信号Ｌに応じた音を同時に聴くことができる領域が狭くなっている。この構成によれば、静電型スピーカ１ｈは、放音部４０−１と放音部４０−２の入り組む長さを変更することにより、複数音のステレオ音が聴こえる領域の大きさを動的に変更することができる。
【００４６】
（変形例９）
なお、上述した実施形態では、静電型スピーカ１が第１電極対に相当する電極２０Ｕ−１及び電極２０Ｌ−１と、第２電極対に相当する電極２０Ｕ−２及び電極２０Ｌ−２を備える場合について説明したが、本発明はこれに限定されるものではない。すなわち、静電型スピーカは、複数の電極対（第１〜第Ｎ＋１の電極対，Ｎは正の整数）を備えていてもよい。この場合においても上述した実施形態と同様に、振動体１０から見て同じ側にある電極群のうち、第Ｎの電極対を構成する電極は、第１の電極部分と、当該第１の電極部分から第Ｎ＋１の電極対を構成する電極に向かって突出する複数の第２の電極部分とを有し、前記第Ｎ＋１の電極対を構成する電極は、第３の電極部分と、当該第３の電極部分から前記第Ｎの電極対を構成する電極に向かって突出する１以上の第４の電極部分とを有し、振動体１０から見て同じ側にある電極群のうち、２つの前記第２の電極部分によって挟まれる位置に、前記第４の電極部分が配置されており、複数の前記電極対が一方向または面方向に連なるように構成されていればよい。この構成においても、静電型スピーカから出力される複数の音を合わせた状態で聴者に聴かせることができる。
【００４７】
（変形例１０）
上述した実施形態においては、静電型トランスデューサを、音声信号を音に変換する静電型スピーカとしているが、この構成は、音を音声信号に変換する静電型マイクロフォンとすることも可能である。図１３は、本発明の変形例に係る静電型マイクロフォン２の電気的構成を示した図である。本発明の変形例において、静電型マイクロフォン２は、信号の流れる方向が静電型スピーカ１と異なる点および静電型スピーカ１の入力部６０−１，６０−２に替えて増幅部６１−１，６１−２を備える点を除いて静電型スピーカ１と同様の構成である。このため、静電型マイクロフォン２が備える部品には静電型スピーカ１が備える部品と同じ符号を付し、その説明を省略する。変圧器５０−１の一次側コイルに増幅部６１−１が接続され、変圧器５０−１の二次側コイルに電極２０Ｕ−１，２０Ｌ−１が接続される。また、変圧器５０−２の一次側コイルに増幅部６１−２が接続され、変圧器５０−２の二次側コイルに電極２０Ｕ−２，２０Ｌ−２が接続される。増幅部６１−１，６１−２は、変圧器１１０の一次側コイルに流れた電流を増幅して、静電型マイクロフォン２で収音された音を表す音声信号として出力する。なお、静電型マイクロフォン２を用いて十分な音声信号を出力するために、変圧器５０−１，５０−２の変圧比および図示せぬ抵抗器の抵抗値が適宜調整されてもよい。
【００４８】
電極２０Ｕ−１，２０Ｌ−１と振動体１０は距離をおいて向かいあっており、電極２０Ｕ−１，２０Ｌ−１と振動体１０はそれぞれ平行平板の導体によって構成されたコンデンサとして機能している。振動体１０にはバイアス電圧が印加されているため、静電型マイクロフォン２の振動体１０に音が到達していない状態においては、このコンデンサに一定の電荷が溜まった状態となる。静電型マイクロフォン２の振動体１０に音が到達した場合、到達した音によって振動体１０が振動する。振動体１０が振動すると、振動体１０と電極２０Ｕ−１，２０Ｌ−１との間の距離が変わるため、振動体１０と電極２０Ｕ−１，２０Ｌ−１との間の静電容量に変化が生じる。
【００４９】
例えば、振動体１０が電極２０Ｕ−１側に変位すると、電極２０Ｕ−１と振動体１０との間の距離が短くなり、電極２０Ｕ−１と振動体１０との間の静電容量が大きくなる。また、電極２０Ｌ−１と振動体１０との間の距離が長くなり、電極２０Ｌ−１と振動体１０との間の静電容量が小さくなる。このように静電容量が変化すると、電極２０Ｕ−１と振動体１０との電位差が小さくなるように電極２０Ｕ−１の電位が変化し、電極２０Ｌ−１と振動体１０との電位差が大きくなるように電極２０Ｌ−１の電位が変化する。ここで、電極２０Ｕ−１と電極２０Ｌ−１との間で電位差が生じることにより、変圧器５０−１に電流が流れることになる。
【００５０】
また、振動体１０が電極２０Ｌ−１側に変位すると、電極２０Ｌ−１と振動体１０との間の距離が短くなり、電極２０Ｌ−１と振動体１０との間の静電容量が大きくなる。また、電極２０Ｕ−１と振動体１０との間の距離が長くなり、電極２０Ｕ−１と振動体１０との間の静電容量が小さくなる。このように静電容量が変化すると、電極２０Ｌ−１と振動体１０との電位差が小さくなるように電極２０Ｌ−１の電位が変化し、電極２０Ｕ−１と振動体１０との電位差が大きくなるように電極２０Ｕ−１の電位が変化する。ここで、電極２０Ｕ−１と電極２０Ｌ−１との間で電位差が生じ、変圧器５０−１には、振動体１０が電極２０Ｕ−１側に変位したときとは逆の方向に電流が流れる。変圧器５０−１の二次側コイルに電流が流れると、この電流に対応して変圧器５０−１の一次側コイルにも電流が流れる。変圧器５０−１の一次側コイルに流れた電流は、増幅部６１−１で増幅され、静電型マイクロフォン２で収音された音を表す音声信号として増幅部６１−１から出力される。
【００５１】
電極２０Ｕ−２，２０Ｌ−２と振動体１０は距離をおいて向かいあっており、電極２０Ｕ−２，２０Ｌ−２と振動体１０はそれぞれ平行平板の導体によって構成されたコンデンサとして機能している。静電型マイクロフォン２に到達した音によって振動体１０が振動すると、振動体１０と電極２０Ｕ−２，２０Ｌ−２との間の距離が変わるため、振動体１０と電極２０Ｕ−２，２０Ｌ−２との間の静電容量に変化が生じる。前述した電極２０Ｕ−１，２０Ｌ−１と同様の動作により、変圧器５０−２の二次側コイルに電流が流れると、この電流に対応して変圧器５０−２の一次側コイルにも電流が流れる。変圧器５０−２の一次側コイルに流れた電流は、増幅部６１−２で増幅され、静電型マイクロフォン２で収音された音を表す音声信号として増幅部６１−２から出力される。
【００５２】
なお、本変形例においては、変圧器５０−１，５０−２のインピーダンスが低い場合には、静電型マイクロフォン２の負荷容量の影響により、低い周波数における周波数特性が低下する場合がある。この場合、変圧器５０−１，５０−２に替えてインピーダンスの高いアンプを電極に接続することで、周波数特性の低下を抑えるようにしてもよい。
【符号の説明】
【００５３】
１…静電型スピーカ（静電型トランスデューサ）、２…静電型マイクロフォン（静電型トランスデューサ）１０…振動体、２０…電極、３０…スペーサ、４０−１，４０−２…放音部、５０−１，５０−２…変圧器、６０−１，６０−２…入力部、６１−１，６１−２…増幅部、７０…バイアス電源、８０…弾性部材、９０…カバー部材、９１…広告画像、２０−Ｂ，２０−Ｄ…櫛歯部分、２０−Ａ，２０−Ｃ…基部
【図１】
2012213150.tif 000003
【図２】
2012213150.tif 000004
【図３】
2012213150.tif 000005
【図４】
2012213150.tif 000006
【図５】
2012213150.tif 000007
【図６】
2012213150.tif 000008
【図７】
2012213150.tif 000009
【図８】
2012213150.tif 000010
【図９】
2012213150.tif 000011
【図１０】
2012213150.tif 000012
【図１１】
2012213150.tif 000013
【図１２】
2012213150.tif 000014
【図１３】
2012213150.tif 000015